(57)【要約】【課題】通信モジュールを有するドライブレコーダー及びドライブレコーディング方法を提供する。【解決手段】車両に適用され、また、アンテナ送受信ユニットに電気的に接続され、通信信号の受信及び発信に用いられると共に通信信号のネットワーク接続を確立させる通信モジュール、車両走行時の映像記録を取得させるためのレンズ、前記映像記録がメモリユニットに保存されると共にネットワーク接続により前記映像記録が保存サーバーにアップロードされるマイクロ制御ユニット、及び車両の測位データが取得されてメモリユニットに保存されると共にネットワーク接続により前記測位データが保存サーバーにアップロードされる全地球型衛星測位モジュールを備える。【選択図】図１
2016103257.tif 000002
【特許請求の範囲】
【請求項１】
車両に適用される通信モジュールを有するドライブレコーダーであって、
アンテナ送受信ユニットに電気的に接続され、通信信号の受信及び発信に用いられると共に通信信号のネットワーク接続を確立させる通信モジュールと、
前記車両の走行時の映像記録を取得させるためのレンズと、
前記映像記録がメモリユニットに保存されると共に前記通信モジュールにより確立されたネットワーク接続により、前記映像記録が保存サーバーにアップロードされるマイクロ制御ユニットと、
前記車両の測位データが取得されて前記メモリユニットに保存され、且つ前記通信モジュールにより確立されたネットワーク接続により、前記測位データが前記保存サーバーにアップロードされる全地球型衛星測位モジュールとを備えることを特徴とする、
通信モジュールを有するドライブレコーダー。
【請求項２】
前記映像記録を表示させるための表示ユニットを備えることを特徴とする、請求項１記載の通信モジュールを有するドライブレコーダー。
【請求項３】
制御命令を入力するためのタッチコントロールユニットを備え、前記ドライブレコーダーの機能の提供及び実行に使用されることを特徴とする、請求項１記載の通信モジュールを有するドライブレコーダー。
【請求項４】
前記通信モジュールは、ブルートゥース（登録商標）、２．４Ｇ通信、３Ｇ通信、４Ｇ通信、５Ｇ通信、無線ＬＡＮ、ＲＦ通信、ＺｉｇＢｅｅ（登録商標）の内の何れか１つの無線ネットワーク通信方式であることを特徴とする、請求項１記載の通信モジュールを有するドライブレコーダー。
【請求項５】
ネットワーク信号により、対応するソフトウェアプログラムが内蔵された電子装置とのネットワーク接続が行われ、前記測位データ及び前記映像記録が表示されることを特徴とする、請求項１記載の通信モジュールを有するドライブレコーダー。
【請求項６】
前記マイクロ制御ユニットにより前記メモリユニットが前記映像記録を保存できないと判断された場合、前記通信モジュールにより確立されたネットワーク接続により、前記映像記録が前記保存サーバーにアップロードされることを特徴とする、請求項１記載の通信モジュールを有するドライブレコーダー。
【請求項７】
前記保存サーバーは監視装置を更に備え、前記監視装置はネットワーク接続により前記保存サーバーに接続され、前記ドライブレコーダーの前記測位データ及び前記映像記録が取得されることを特徴とする、請求項１記載の通信モジュールを有するドライブレコーダー。
【請求項８】
前記監視装置から要求メッセージが前記保存サーバーに発信されると共にネットワークを通して前記要求メッセージが前記マイクロ制御ユニットに伝送され、前記マイクロ制御ユニットにより前記要求メッセージが受信された後に確認情報が前記保存サーバーに返信され、前記保存サーバーによる確認が行われた後に前記監視装置に伝送され、前記監視装置は前記確認情報に基づいてフィードバック情報を前記マイクロ制御ユニットに返信させ、前記ドライブレコーダーの前記測位データ及び前記映像記録が取得されることを特徴とする、請求項７記載の通信モジュールを有するドライブレコーダー。
【請求項９】
車両に適用される通信モジュールを有するドライブレコーディング方法であって、
前記方法は、
通信モジュールにより通信信号のネットワーク接続が確立される工程と、
レンズにより前記車両の走行時の少なくとも１つの映像記録が取得される工程と、
マイクロ制御ユニットにより前記映像記録がメモリユニットに保存され、且つネットワーク接続により前記映像記録が保存サーバーにアップロードされる工程と、
全地球型衛星測位モジュールにより前記車両の測位データが取得されて前記メモリユニットに保存され、且つネットワーク接続により前記測位データが前記保存サーバーにアップロードされる工程とを含むことを特徴とする、
通信モジュールを有するドライブレコーディング方法。
【請求項１０】
前記映像記録の表示に用いられる表示ユニットを備えることを特徴とする、請求項９記載の通信モジュールを有するドライブレコーディング方法。
【請求項１１】
制御命令を入力するためのタッチコントロールユニットを備え、前記ドライブレコーダーの機能の提供及び実行に使用されることを特徴とする、請求項９記載の通信モジュールを有するドライブレコーディング方法。
【請求項１２】
前記通信モジュールは、ブルートゥース、２．４Ｇ通信、３Ｇ通信、４Ｇ通信、５Ｇ通信、無線ＬＡＮ、ＲＦ通信、ＺｉｇＢｅｅの内の何れか１つの無線ネットワーク通信方式であることを特徴とする、請求項９記載の通信モジュールを有するドライブレコーディング方法。
【請求項１３】
ネットワーク信号により、対応するソフトウェアプログラムが内蔵された電子装置とのネットワーク接続が行われ、前記測位データ及び前記映像記録が表示されることを特徴とする、請求項９記載の通信モジュールを有するドライブレコーディング方法。
【請求項１４】
前記マイクロ制御ユニットにより前記メモリユニットが前記映像記録を保存できないと判断された場合、前記通信モジュールにより確立されたネットワーク接続により、前記映像記録が前記保存サーバーにアップロードされることを特徴とする、請求項９記載の通信モジュールを有するドライブレコーディング方法。
【請求項１５】
前記保存サーバーは監視装置を更に備え、前記監視装置はネットワーク接続により前記保存サーバーに接続され、前記ドライブレコーダーの前記測位データ及び前記映像記録が取得されることを特徴とする、請求項９記載の通信モジュールを有するドライブレコーディング方法。
【請求項１６】
前記監視装置から要求メッセージが前記保存サーバーに発信されると共にネットワークにより前記要求メッセージが前記マイクロ制御ユニットに伝送され、前記マイクロ制御ユニットにより前記要求メッセージが受信された後に確認情報が前記保存サーバーに返信され、前記保存サーバーによる確認が行われた後に前記監視装置に伝送され、前記監視装置が前記確認情報に基づいてフィードバック情報を前記マイクロ制御ユニットに返信させ、前記ドライブレコーダーの前記測位データ及び前記映像記録が取得されることを特徴とする、請求項１５記載の通信モジュールを有するドライブレコーディング方法。
【発明の詳細な説明】
【技術分野】
【０００１】
本発明は、通信モジュールを有するドライブレコーダーに関し、より詳しくは、映像記録及び測位データが保存サーバーにアップロードされる技術に関する。
【背景技術】
【０００２】
ドライブレコーダーは長年の技術の進化に伴い、その機能及び技術が大幅に進歩している。また、車両に装設されるドライブレコーダーは、走行状況の監視及び事故時の責任の所在の証拠として非常に有用であり、ドライブレコーダーが加速度的に普及している。
【０００３】
なお、ドライブレコーダーの最も重要な機能は映像記録の保存であり、通常は本機のメモリーカード中に保存される。
【発明の概要】
【発明が解決しようとする課題】
【０００４】
しかしながら、前述したメモリーの容量には限度があり、使用者はメモリーの容量が十分か否か注意しなければならない。さらに、ハードウェア設備には耐用年数の時間的制約があり、また、メモリーカードが予期せず損壊して映像を記録出来なくなることもある。特に事故発生時においては、映像記録の欠如により肝心の映像が記録されず、走行時の危険性が高まり、証拠資料不足により事故判定が正確に行えない場合もある。
【０００５】
そこで、本発明者は上記の欠点が改善可能と考え、鋭意検討を重ねた結果、合理的設計で上記の課題を効果的に改善する本発明の提案に到った。
【０００６】
無線ネットワーク通信装置はモバイルネットワークの進化、小型化により普及が進み、モバイル電子装置への無線ネットワーク通信機能の搭載が日増しに増え、ソフトウェアの進歩も伴って電子装置にソフトウェアを付加して応用することが一般化している。
ドライブレコーダーと通信ネットワーク装置とが結合される場合、その主要な機能は安全且つ安定的に映像記録を保存させることであり、通信ネットワークを付加させて映像記録を予備のストレージに保存する応用以外、多様で便利なクラウドによる管理方式も提供し、異なるドライブレコーダーの走行中の映像記録のコピーをクラウドストレージに保存する応用方式もサポートされている。
【０００７】
従って、本発明は、このような従来の問題に鑑みてなされたものである。上記課題解決のため、本発明は、通信モジュールを有するドライブレコーダーを提供することを主目的とする。
【課題を解決するための手段】
【０００８】
上述した課題を解決し、上記目的を達成するための本発明の通信モジュールを有するドライブレコーダーは、車両に適用され、アンテナ送受信ユニットに電気的に接続され、通信信号の受信及び発信に用いられると共に通信信号のネットワーク接続を確立させる通信モジュールと、前記車両の走行時の映像記録を取得させるためのレンズと、前記映像記録がメモリユニットに保存されると共に前記通信モジュールにより確立されたネットワーク接続により、前記映像記録が保存サーバーにアップロードされるマイクロ制御ユニットと、前記車両の測位データが取得されて前記メモリユニットに保存され、且つ前記通信モジュールにより確立されたネットワーク接続により、前記測位データが前記保存サーバーにアップロードされる全地球型衛星測位モジュールとを備えることを特徴とする。
【０００９】
また、上記目的を達成するため、本発明に係る通信モジュールを有するドライブレコーダーの方法は、車両に適用され、前記方法は、通信モジュールにより通信信号のネットワーク接続が確立される工程と、レンズにより前記車両の走行時の少なくとも１つの映像記録が取得される工程と、マイクロ制御ユニットにより前記映像記録がメモリユニットに保存され、且つネットワーク接続により前記映像記録が保存サーバーにアップロードされる工程と、全地球型衛星測位モジューにより前記車両の測位データが取得されて前記メモリユニットに保存され、且つネットワーク接続により前記測位データが前記保存サーバーにアップロードされる工程とを含むことを特徴とする。
【００１０】
なお、本発明に係る通信モジュールを有するドライブレコーダーの好ましい実施態様において、ネットワークを経由して前記保存サーバーに接続され、前記ドライブレコーダーの測位データ及び映像記録を取得させる監視装置を更に備える。
前記監視装置からは要求メッセージが前記保存サーバーに発信されると共にネットワークを通して前記要求メッセージが前記マイクロ制御ユニットに伝送され、前記マイクロ制御ユニットにより前記要求メッセージが受信された後に確認メッセージが前記保存サーバーに返信され、前記保存サーバーによる確認が行われた後に前記監視装置に伝送され、前記監視装置は前記確認メッセージに基づいてフィードバックメッセージを前記マイクロ制御ユニットに返信させ、前記ドライブレコーダーの前記測位データ及び前記映像記録が取得される。監視装置はマイクロ制御ユニットにより返信されたフィードバックメッセージの個別の識別ＩＤコードの違いに応じ、通信モジュールを有する複数のドライブレコーダーをそれぞれ同時に監視させる。
【発明の効果】
【００１１】
本発明はドライブレコーダー及び通信ネットワークモジュールの結合構造を採用し、主な効果は安全で安定的な映像記録の保存を提供することである。
メモリーカードの損壊或いはメモリー不足により映像を記録出来ず、特に事故発生時に映像記録が欠如して肝心の映像が記録されずに、ドライブの危険性が高まり、証拠資料不足により事故の判定が不正確になる事態を回避させる。このほか、通信ネットワークにサービスを付加し、広く応用されるソフトウェアにより映像記録を予備のストレージに保存させる以外、ソフトウェアの制御によりクラウド管理方式を達成させ、異なるドライブレコーダーの走行中の映像記録及び測位データのコピーのクラウドストレージへの保存をサポートする。さらには、通信ネットワークのソフトウェアの応用により車両管理機能を達成させ、且つネットワーク通信に接続させて全地球型衛星測位データを取得して紛失した車両の捜索も行える。
【図面の簡単な説明】
【００１２】
【図１】本発明の第１実施形態による通信モジュールを有するドライブレコーダーを示す素子の概念図である。
【図２】本発明の第１実施形態による通信モジュールを有するドライブレコーダーを示す構築の概念図である。
【図３】本発明の第１実施形態による通信モジュールを有するドライブレコーダーを示すフローチャートである。
【発明を実施するための形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１４】
＜第１実施形態＞
以下、本発明の具体的な実施形態について添付図面に基づき説明する。図１は本発明に係るドライブレコーダー１００の部材の概念図である。図１では、本発明に係るドライブレコーダー１００は、マイクロ制御ユニット２００、保存サーバー２１０、監視装置２２０、アンテナ送受信ユニット３００、メモリユニット４００、表示ユニット５００、全地球型衛星測位モジュール６００、通信モジュール７００、及びレンズ８００を備える。
【００１５】
ドライブレコーダー１００は各種の交通車両に適用され、車両の走行時の連続映像を記録させ、映像記録の表示に用いられる表示ユニット５００を備える。本実施形態では、前記表示ユニット５００は、使用者が制御命令を入力するのに使用されるタッチコントロールユニットを更に備え、これにより前記ドライブレコーダーの機能を提供して実行させる。
本実施形態において、ドライブレコーダー１００のハードウェアインターフェースはタッチパネルを例にし、ユーザーインターフェースは図形化されたメニューによるインターフェースを例示するが、但しこれに限定されない。
【００１６】
ドライブレコーダー１００は前記通信モジュール７００によりネットワーク接続が確立され、前記車両の測位データを取得させると共にドライブレコーダー１００のメモリユニット４００に保存させるための全地球型衛星測位モジュール６００を更に備え、通信モジュール７００により確立されたネットワーク接続により、前記測位データがクラウドネットワークの保存サーバー２１０にアップロードされる。
【００１７】
この好ましい実施態様では、ドライブレコーダー１００の通信モジュール７００とアンテナ送受信ユニット３００とは電気的に接続され、通信信号の受信及び発信を行うと共に通信信号のネットワーク接続を確立させる（Ｓ３０１）。
通信ネットワークの方式はブルートゥース（登録商標）、２．４Ｇ通信、３Ｇ通信、４Ｇ通信、５Ｇ通信、無線ＬＡＮ（Ｗｉ−Ｆｉ（登録商標））、ＲＦ通信（Ｒａｄｉｏ  Ｆｒｅｑｕｅｎｃｙ、  ＲＦ）、ＺｉｇＢｅｅ（登録商標）の内の何れか１つの無線ネットワーク通信方式で実現されるが、異なる種類の無線ネットワーク通信方式を同時にサポートしてもよい（図３参照）。
【００１８】
本実施態様では、前記アンテナ送受信ユニット３００は異なる基地局のネットワーク信号の受信及び発信が可能である。このため、ドライブレコーダー１００が交通車両の移動中に、異なる基地局の間で前記通信モジュール７００によりネットワークへの登録が行われる。前記アンテナ送受信ユニット３００により発信された信号は一定の範囲をカバーするアンテナ信号であるため、前記範囲内にある少なくとも１つの通信装置によりネットワーク通信を行う。
【００１９】
また、ドライブレコーダー１００はネットワーク信号により対応するソフトウェアプログラムが内蔵された電子装置とのネットワーク接続を行い、前記測位データ及び前記映像記録が表示される。前記対応するソフトウェアプログラムはドライブレコーダー１００及び電子装置により相互に認証され、且つアプリケーションプログラム等のソフトウェアプログラムが電子装置及びドライブレコーダーにインストールされ、前記電子装置により前記測位データ及び前記映像記録が表示されて利用可能となる。ここでは、前記電子装置はスマートフォン、タブレット端末、ノートパソコン、パソコン等のネットワークに接続可能な各種形態の電子装置である。
【００２０】
上述の電子装置にはネットワークから前記対応するソフトウェアプログラムがダウンロードされてインストールされ、表示用の図形化されたユーザー用の管理インターフェースを更に含み、交通車両の映像の記録及び測位データの前記電子装置での表示及び利用に使用される。
また、ドライブレコーダー１００は通信モジュール７００によりネットワーク接続を行う。映像記録はソフトウェアプログラムにより操作する方式であり、広く応用されるソフトウェアへの付加サービスの開発を行える。例えば、オンラインでの車両管理やクラウドでの監視等であり、使用者が家の中からネットワークを通して映像メッセージ及び録画映像認証ファイルを即時取得可能になる。
【００２１】
この実施態様では、上述の前記レンズ８００により映像記録が撮影され（Ｓ３０２）、前記メモリユニット４００により前記車両の走行中の連続映像記録が保存され、複数のソフトウェアプログラムが本発明に係る通信モジュールを有するドライブレコーダー１００に使用される。
レンズ８００により交通車両の走行中の異なる方向からの映像記録が録画される。前記レンズ８００の種類はズームレンズ、望遠レンズ、標準レンズ等があるが、但しこれらに制限されない。
【００２２】
なお、本実施態様では、本発明に係る通信モジュールを有するドライブレコーダー１００の前記マイクロ制御ユニット２００は、前記メモリユニット４００の保存能力を判断する機能を有し、前記マイクロ制御ユニット２００によりメモリユニット４００がメモリー不足、または毀損や他の原因により前記映像記録を保存不可能と判断されると、即時に前記通信モジュール７００により確立されたネットワーク接続を通して、未保存の前記映像記録及び測位データがクラウドネットワークの前記保存サーバー２１０にアップロードされ（Ｓ３０３及びＳ３０４）、メモリユニット４００の機能の喪失により重要な映像記録が欠如する事態を回避させる（図２及び図３参照）。
【００２３】
幾つかの実施形態では、本発明に係る通信モジュールを有するドライブレコーダー１００は、監視装置２２０を更に備える。監視装置２２０は有線ネットワーク或いは無線ネットワークにより前記保存サーバー２１０及び本発明に係る通信モジュールを有するドライブレコーダー１００に接続され、交通車両に記録された前記測位データ及び前記映像記録を取得させる（図２参照）。
【００２４】
上述により、ドライブレコーダー１００は、まず前記監視装置２２０から要求メッセージが前記保存サーバー２１０に発信されると共にネットワークを通して前記要求メッセージが前記マイクロ制御ユニット２００に伝送される。ドライブレコーダー１００の前記マイクロ制御ユニット２００により前記要求メッセージが受信された後に確認メッセージが前記保存サーバー２１０に返信され、前記保存サーバー２１０による確認が行われた後に前記監視装置２２０に伝送される（Ｓ３０５）。
前記監視装置２２０は前記確認メッセージに基づいてフィードバックメッセージを前記マイクロ制御ユニット２００に返信させ、前記ドライブレコーダー１００の前記測位データ及び前記映像記録が取得される（Ｓ３０６）（図２及び図３参照）。
【００２５】
前記マイクロ制御ユニット２００は、まず前記測位データ及び前記映像記録が前記メモリユニット４００に保存され、前記監視装置２２０により前記確認メッセージが受信された後、受信された前記確認メッセージに基づいて前記マイクロ制御ユニット２００の識別ＩＤコード及びネットワークアドレスが取得され、フィードバックメッセージが前記マイクロ制御ユニット２００に返信され（Ｓ３０６）、前記保存サーバー２１０と前記監視装置２２０との間のネットワーク接続が確立され、前記ドライブレコーダー１００の前記測位データ及び前記映像記録が取得される。
監視装置２２０がフィードバックメッセージを前記マイクロ制御ユニット２００に返信していない場合、或いは前記マイクロ制御ユニット２００が監視装置２２０から返信されたフィードバックメッセージを未受信の場合、監視装置２２０と保存サーバー２１０との間の通信ネットワークが確立されず、前記ドライブレコーダー１００の前記測位データ及び前記映像記録が取得不可能になる。しかし、マイクロ制御ユニット２００と保存サーバー２１０との間では前記車両の映像記録及び測位データ等のドライブに関するデータが保存可能であり、ドライブレコーダーのデータを安全に保護する。
【００２６】
また、監視装置２２０はマイクロ制御ユニット２００が有する個別の識別ＩＤコードの違いによりドライブレコーダー１００を個別に区分し、前記監視装置２２０はそれぞれネットワーク接続方式により、複数の通信モジュールを有するドライブレコーダー１００を同時に監視し、ソフトウェアによる制御によりクラウド管理方式を達成させ、異なる識別ＩＤコードを有するドライブレコーダー１００の交通車両の走行中の映像記録及び測位データのコピーのクラウドストレージへの保存をサポートする。
このほか、通信ネットワークのソフトウェアの応用により車両群の車両管理機能を達成させ、ネットワークを利用して遠隔からドライバーの所在地の状況を即時に同調して監視させ、ネットワーク通信に接続されて全地球型衛星測位データを取得させて紛失した車両の捜索をも行える。
【００２７】
以上のとおり、ドライブレコーダー１００及び通信ネットワークモジュールが結合された構造になり、主な効果として安全且つ安定的に映像記録の保存が可能になり、メモリーカードの損壊或いは容量不足により映像が記録出来なくなり、特に事故発生時に映像記録が欠如して肝心の映像が記録されなかったことで、ドライビングの危険性が増し、証拠資料が不足して事故の判定が不正確になるのを防止させる。
然しながら、無線通信ネットワークに過度に依存させず、周波数帯が制限されたり、或いは走行中に地形の違いにより無線ネットワークの信号が不良に陥ることで映像記録が欠如するのを避けるため、本発明に係るドライブレコーダー１００では本機にもメモリユニット４００を有する。
【００２８】
さらには、通信ネットワークの付加サービス（ｖａｌｕｅ−ａｄｄｅｄ  ｓｅｒｖｉｃｅ）では、広く応用されるソフトウェアにより映像記録が予備のストレージに保存されるほか、ソフトウェアの制御によりクラウド管理方式を達成させ、異なるドライブレコーダー１００の走行中の映像記録及び測位データのコピーのクラウドストレージへの保存をサポートする。
また、通信ネットワークのソフトウェアの応用により車両管理機能を達成させ、ネットワークを通して遠隔からドライバーの所在地の状況を即時に同調して監視させ、ネットワーク通信に接続されて全地球型衛星測位データを取得させて紛失した車両の捜索も行える。
【００２９】
以上、本発明の実施形態について図面を参照して詳述したが、具体的な構成はこの実施形態に限られるものではなく、本発明の要旨を逸脱しない範囲の設計変更等も含まれる。
【符号の説明】
【００３０】
１００    ドライブレコーダー
２００    マイクロ制御ユニット
２１０    保存サーバー
２２０    監視装置
３００    アンテナ送受信ユニット
４００    メモリユニット
５００    表示ユニット
６００    全地球型衛星測位モジュール
７００    通信モジュール
８００    レンズ
Ｓ３０１  フローチャート
Ｓ３０２  フローチャート
Ｓ３０３  フローチャート
Ｓ３０４  フローチャート
Ｓ３０５  フローチャート
Ｓ３０６  フローチャート
【図１】
2016103257.tif 000003
【図２】
2016103257.tif 000004
【図３】
2016103257.tif 000005